(57)【要約】【課題】  カメラヘッド内に備えられた撮像素子のノイズの影響を小さく抑えて良好な画像を得ることができるカメラシステムを提供する。【解決手段】  カメラヘッド１ａに備えられた温度検出手段２０１ａでカメラヘッド１ａの内部温度を検出して生成した温度を表わす信号を、カメラ本体１ｂに備えられた温度判定手段２０１ｂで受け取ってその温度が所定温度を越える温度であるか否かを判定し、カメラヘッド１ａの内部が所定温度を越える温度であった場合、冷却装置２０２ａでカメラヘッド１ａの内部を冷却する。【選択図】  図４
2006140733.tif 000002
【特許請求の範囲】
【請求項１】
撮影光学系と撮像素子を備えてなるカメラヘッドと、該カメラヘッドが交換自在に装着され該カメラヘッドからの信号を受け取って信号処理を行なうカメラ本体とを備えたカメラシステムにおいて、
前記カメラヘッドが温度を検出して温度を表わす信号を生成する温度検出手段を備え、
前記カメラ本体が、前記温度検出手段からの信号を受け取って該温度検出手段で検出された温度が所定温度を越える温度であるか否かを判定する温度判定手段を備えたことを特徴とするカメラシステム。
【請求項２】
撮影光学系と撮像素子を備えてなるカメラヘッドと、該カメラヘッドが交換自在に装着され該カメラヘッドからの信号を受け取って信号処理を行なうカメラ本体とを備えたカメラシステムにおいて、
前記カメラヘッドが、温度を検出して温度を表わす信号を生成する温度検出手段と、前記温度検出手段からの信号を受け取って該温度検出手段で検出された温度が所定温度を越える温度であるか否かを判定する温度判定手段とを備えたことを特徴とするカメラシステム。
【請求項３】
前記カメラヘッドが、前記温度判定手段で所定温度を越える温度であると判定された場合に該カメラヘッド内部を冷却する冷却手段を備えたことを特徴とする請求項１又は２記載のカメラシステム。
【請求項４】
前記カメラヘッドが、前記温度判定手段で所定温度を越える温度であると判定された場合に前記撮像素子の動作を禁止する動作禁止手段を備えたことを特徴とする請求項１又は２記載のカメラシステム。
【請求項５】
前記カメラヘッドが、前記撮像素子で得られた画像信号に所定の信号処理を施す第１の信号処理手段を備えて、該第１の信号処理手段で信号処理を施した後の画像信号を前記カメラ本体に送信するものであり、
前記カメラ本体が、前記第１の信号処理手段で信号処理が行なわれた後の画像信号を受け取って更なる信号処理を施す第２の信号処理手段を備えたものであって、
前記温度判定手段で所定温度を越える温度であると判定された場合に、前記第１の信号処理手段が、該第１の信号処理手段で行なわれる信号処理の少なくとも一部を省略するものであり、前記第２の信号処理手段が、前記第１の信号処理手段で省略された信号処理を含む信号処理を実行するものであることを特徴とする請求項１又は２記載のカメラシステム。
【発明の詳細な説明】
【技術分野】
【０００１】
本発明は、撮影光学系と撮像素子を備えてなるカメラヘッドと、そのカメラヘッドが交換自在に装着されそのカメラヘッドからの信号を受け取って信号処理を行なうカメラ本体とを備えたカメラシステムに関する。
【背景技術】
【０００２】
近年、撮影光学系と撮像素子を備えてなるカメラヘッドと、そのカメラヘッドが交換自在に装着されそのカメラヘッドからの信号を受け取って信号処理を行なうカメラ本体とを備えたカメラシステムが考えられている。このようなカメラシステムでは、カメラヘッドについても、またカメラ本体についても上位から下位に至るまで様々なグレードの製品を取り揃えておいてその中のどのカメラヘッドを選択しても、またどのカメラ本体を選択しても容易に組み合わせることができる構成を採用することで、どのようなユーザニーズにも対応可能なカメラシステムを実現することができる。このようなカメラシステムでは、カメラヘッドについては専用のＣＰＵや撮像素子等が備えられており、またカメラ本体についても専用のＣＰＵや画像を表示するための液晶表示装置等が備えられている。
【０００３】
ここで、レンズが本体と分離しない従来型のデジタルカメラにおいて、そのデジタルカメラ内部の温度上昇を抑えるための技術がいくつか提案されている。例えば、閃光を発光するフラッシュ手段を有するカメラにおいて、フラッシュ手段からの発光回数が所定値を越えた時点でカメラの動作を規制することにより、フラッシュ手段およびその周辺部の過熱を抑える技術が提案されている（特許文献１参照）。
【０００４】
また、カメラの外部温度（環境温度）とカメラの内部温度とを比較し、所定の温度差以上である場合に、警告表示、動作禁止、および電源の遮断のいずれかを行なうことにより、カメラ内部の発熱を抑える技術が提案されている（特許文献２参照）。
【０００５】
さらに、夜間撮影等において、カメラ内部の温度上昇に伴い発生するＣＣＤノイズを低減するために、液晶表示装置等をオフ状態に制御する技術が提案されている（特許文献３参照）。
【０００６】
また、カメラ内部の温度を検出し、検出された温度が所定温度を越えた場合に、液晶表示装置のバックライトの消灯や焦点調節動作の停止等を行なう技術が提案されている（特許文献４参照）。
【特許文献１】特開平１１−２１２１５１号公報
【特許文献２】特開２００２−２９１１４８号公報
【特許文献３】特開２００４−９６３２８号公報
【特許文献４】特開２００２−１３５６３６号公報
【発明の開示】
【発明が解決しようとする課題】
【０００７】
ここで、上述した、カメラヘッドとそのカメラヘッドが交換自在に装着されるカメラ本体とを備えたカメラシステムでは、カメラヘッドに専用のＣＰＵや撮像素子が備えられている。カメラヘッドでは、専用のＣＰＵによる複雑な演算処理や撮像素子に対する高速アクセスに伴い、カメラヘッド内部の温度が上昇する。すると、撮像素子の周辺温度も上昇し、その撮像素子から出力される画像信号に含まれるノイズ（熱ノイズ）が増大する。このような画像信号がカメラヘッドからカメラ本体に送られるため、カメラ本体ではノイズが多く含まれた画像信号に基づいた画像が生成されることとなる。従って、上述したカメラシステムにおいて、良好な画像を得ることは困難であるという問題が発生する。
【０００８】
そこで、カメラヘッド内の温度上昇を抑えるために、上述した特許文献１，２，３，４に提案された技術を適用することが考えられる。しかし、上述した特許文献１，２，３，４に提案された技術は、いずれもカメラ内部の温度上昇を抑える技術であり、このカメラシステムに、これらの技術を適用した場合、カメラ本体の内部の温度上昇を抑えることはできるものの、カメラヘッド内部の温度上昇を抑えることはできず、従って撮像素子のノイズの影響により良好な画像を得ることは困難であるという問題がある。
【０００９】
本発明は、上記事情に鑑み、カメラヘッド内に備えられた撮像素子のノイズの影響が小さく抑えられて良好な画像を得ることができるカメラシステムを提供することを目的とする。
【課題を解決するための手段】
【００１０】
上記目的を達成する本発明のカメラシステムのうちの第１のカメラシステムは、撮影光学系と撮像素子を備えてなるカメラヘッドと、そのカメラヘッドが交換自在に装着されそのカメラヘッドからの信号を受け取って信号処理を行なうカメラ本体とを備えたカメラシステムにおいて、
上記カメラヘッドが温度を検出して温度を表わす信号を生成する温度検出手段を備え、
上記カメラ本体が、上記温度検出手段からの信号を受け取ってその温度検出手段で検出された温度が所定温度を越える温度であるか否かを判定する温度判定手段を備えたことを特徴とする。
【００１１】
本発明の第１のカメラシステムは、カメラヘッドに備えられた温度検出手段でカメラヘッド内部の温度を検出して生成した温度を表わす信号を、カメラ本体に備えられた温度判定手段で受け取ってその温度が所定温度を越える温度であるか否かを判定するものであるため、カメラヘッドのコストアップを抑えたまま、カメラヘッドに備えられた撮像素子周辺部の温度を検出することができる。従って、カメラヘッド内部が所定温度を越える温度であった場合、後述する実施実施形態に示すように各種の対応策を施すことができ、カメラヘッド内に備えられた撮像素子のノイズの影響が小さく抑えられて良好な画像を得ることができる。
【００１２】
また、上記目的を達成する本発明のカメラシステムのうちの第２のカメラシステムは、撮影光学系と撮像素子を備えてなるカメラヘッドと、そのカメラヘッドが交換自在に装着されそのカメラヘッドからの信号を受け取って信号処理を行なうカメラ本体とを備えたカメラシステムにおいて、
上記カメラヘッドが、温度を検出して温度を表わす信号を生成する温度検出手段と、上記温度検出手段からの信号を受け取ってその温度検出手段で検出された温度が所定温度を越える温度であるか否かを判定する温度判定手段とを備えたことを特徴とする。
【００１３】
本発明の第２のカメラシステムは、カメラヘッドに備えられた温度検出手段でカメラヘッド内部の温度を検出して生成した温度を表わす信号を、やはりカメラヘッドに備えられた温度判定手段で受け取ってその温度が所定温度を越える温度であるか否かを判定するものであるため、カメラヘッド側とカメラ本体側との間で、カメラヘッドの内部温度が所定温度を越える温度であるか否かを判定するための通信を行なう必要はなく、またカメラ本体側がコストアップすることもなく、カメラヘッドに備えられた撮像素子周辺部の温度を検出することができる。従って、カメラヘッド内部が所定温度を越える温度であった場合、後述する実施実施形態に示すように各種の対応策を施すことができ、カメラヘッド内に備えられた撮像素子のノイズの影響が小さく抑えられて良好な画像を得ることができる。
【００１４】
ここで、本発明の第１，第２のカメラシステムにおいて、上記カメラヘッドが、上記温度検出手段で所定温度を越える温度であると判定された場合にそのカメラヘッド内部を冷却する冷却手段を備えたものであることが好ましい。
【００１５】
このようにすると、カメラヘッドの内部温度を即座に所定温度以下に抑えることができる。
【００１６】
また、本発明の第１，第２のカメラシステムにおいて、上記カメラヘッドが、上記温度検出手段で所定温度を越える温度であると判定された場合に上記撮像素子の動作を禁止する動作禁止手段を備えたものであることも好ましい態様である。
【００１７】
このようにすると、カメラヘッド内部が所定温度を越える温度であると判定された場合、静止画撮影モードや動画撮影モードにおける写真撮影は禁止されるものの、再生モードにおける画像の表示や、セットアップモードにおける各種の設定等を行なうことができる。
【００１８】
さらに、本発明の第１，第２のカメラシステムにおいて、上記カメラヘッドが、上記撮像素子で得られた画像信号に所定の信号処理を施す第１の信号処理手段を備えて、その第１の信号処理手段で信号処理を施した後の画像信号を上記カメラ本体に送信するものであり、
上記カメラ本体が、上記第１の信号処理手段で信号処理が行なわれた後の画像信号を受け取って更なる信号処理を施す第２の信号処理手段を備えたものであって、
上記温度検出手段で所定温度を越える温度であると判定された場合に、上記第１の信号処理手段が、その第１の信号処理手段で行なわれる信号処理の少なくとも一部を省略するものであり、上記第２の信号処理手段が、上記第１の信号処理手段で省略された信号処理を含む信号処理を実行するものであることも好ましい。
【００１９】
このように、カメラヘッド内部が所定温度を越える温度であると判定された場合に、カメラヘッドに備えられた第１の信号処理手段で行なわれる信号処理の少なくとも一部を省略し、カメラ本体に備えられた第２の信号処理手段で、その省略された信号処理を含む信号処理を実行すると、カメラヘッド内部の温度を低下させることができる。
【発明の効果】
【００２０】
本発明のカメラシステムによれば、カメラヘッド内に備えられた撮像素子のノイズの影響が小さく抑えられて良好な画像を得ることができる。
【発明を実施するための最良の形態】
【００２１】
以下、本発明の実施の形態について説明する。
【００２２】
図１は、本発明の第１，第２のカメラシステムの双方に共通の一実施形態を示す図である。
【００２３】
図１には、撮影光学系と撮像素子を備えて画像信号を生成する、撮像素子等の仕様が異なる複数種類のカメラヘッド１ａ〜ｎａと、それらのカメラヘッド１ａ〜ｎａのうちのいずれかが交換自在に装着され装着されたカメラヘッドから画像信号を受け取って信号処理を行なう複数種類のカメラ本体１ｂ〜ｎｂとを備えたカメラシステムが示されている。ここでは、複数種類のカメラヘッド１ａ〜ｎａのうちの一つのカメラヘッド１ａが、複数種類のカメラ本体１ｂ〜ｎｂのうちの一つのカメラ本体１ｂに交換自在に装着されるカメラシステム１について説明する。
【００２４】
図２は、図１に示すカメラシステムの外観を示す図である。
【００２５】
図２には、図１に示すカメラシステム１の、撮影光学系と撮像素子を備えたカメラヘッド１ａが、そのカメラヘッド１ａが着脱自在に装着されカメラヘッド１ａから画像信号を受け取って信号処理を行なうカメラ本体１ｂに装着される直前の状態が示されている。
【００２６】
このカメラシステム１は、撮影光学系と撮像素子を備えて画像信号を生成するカメラヘッド１ａと、カメラヘッド１ａが着脱自在に装着されカメラヘッド１ａから画像信号を受け取って信号処理を行なうカメラ本体１ｂとを備えたカメラシステムである。
【００２７】
図２に示すようにカメラ本体１ｂの中央には、多数のマウント接点を持つヘッドマウント１０ｂが設けられ、またカメラヘッド１ａ側にも同様のマウント部が設けられている。双方のマウント接点の位置がそれぞれ合うように図中の一点鎖線に沿ってカメラヘッド１ａがカメラ本体１ｂに機械的に装着されると、多数のマウント接点同士が各々接続されてカメラヘッド１ａとカメラ本体１ｂとが電気的にも接続される。
【００２８】
このカメラシステム１は、カメラ本体１ｂ側にバッテリが配備され、そのバッテリからカメラ本体１ｂに電力が供給されるとともに、カメラヘッド１ａとカメラ本体１ｂとの双方が備える多数のマウント接点の中の電力用接点を通してカメラヘッド１ａにも電力が供給される構成になっている。その電力用の接点を通してカメラ本体１ｂのバッテリの電力がカメラヘッド１ａに供給されると、カメラヘッド１ａとカメラ本体１ｂとの双方がともに動作状態になる。
【００２９】
また、カメラ本体１ｂの上面にはレリーズ釦１３ｂとモードダイヤル１４ｂが配備されている。さらに、カメラ本体１ｂの前面にはＡＷＢセンサ１１ｂや閃光発光窓１２ｂが設けられている。このカメラシステム１では、モードダイヤル１４ｂを回転操作して、静止画撮影モードや動画撮影モードにして静止画像撮影に適した撮影や動画像撮影に適した撮影を行なうことができる。また、再生モードにして静止画像や動画像の画像データに基づく画像を後述するＬＣＤパネル２２に表示したり、セットアップモードにしてカメラシステム１が有する各種の設定を行なうことができる。さらに、ＰＣモードにしてパーソナルコンピュータとのデータのやり取りを行なうこともできる。
【００３０】
図３は、図２のカメラシステムを背面斜め上から見た外観斜視図である。
【００３１】
図３に示すカメラシステム１を構成するカメラ本体１ｂの背面には、スライド式の電源スイッチ２１と、ＬＣＤパネル２２が備えられている。ＬＣＤパネル２２には、静止画撮影モードや動画撮影モードにおける構図確認用のスルー画像や、再生モードにおいてメモリカードに記憶されている静止画像や動画像の画像データが読み出されてその画像データに基づく画像や、メニュー画面などが表示される。
【００３２】
また、ＬＣＤパネル２２の右斜め上方には操作キーとして十字キー２３が設けられており、ＬＣＤパネル２２上にメニュー画面などが表示された場合には、その十字キー２３のＵＰキー２３ａ、ＤＯＷＮキー２３ｂ、右キー２３ｃ、左キー２３ｄの４つのキーを操作することによってメニューの選択を行なうことができる。
【００３３】
さらに、その十字キー２３の下方には、そのメニューをＬＣＤパネル２２上に表示させるためのメニューキー２４と、そのメニューキー２４の操作によりメニューが表示され、十字キー２３のいずれかのキーによりＬＣＤパネル２２に表示されたメニュー画面の中の多数の選択項目のうちいずれかの項目が選択されたときに、その項目を実行するために操作される実行キー２５と、その選択をキャンセルするために操作される取消キー２６とが備えられている。
【００３４】
また、図３に示すカメラ本体１ｂの側面には、メモリカードが着脱自在に装着されるメモリカードスロット１０７ｂが備えられている。このメモリカードには、静止画像や動画像の画像データが記憶される。
【００３５】
さらに、このカメラ本体１ｂの側面には、ＵＳＢコネクタが備えられたパーソナルコンピュータからのＵＳＢケーブルが接続されるＵＳＢコネクタ１３０ｂが備えられている。
【００３６】
図４は、本発明の第１のカメラシステムの一実施形態の、カメラヘッドがカメラ本体に装着された状態にあるときの電気系統の構成を示すブロック図である。
【００３７】
図４の上方側にはカメラヘッド１ａの構成が、また図４の下方側にはカメラ本体１ｂの構成がそれぞれ示されている。先ず、カメラヘッド１ａ側の構成について説明する。
【００３８】
本実施形態のカメラシステム１＿１を構成するカメラヘッド１ａは、カメラ本体１ｂに装着されてカメラ本体１ｂ側のバッテリ１６０ｂから電力の供給を受けて動作するものである。ここではカメラヘッド１ａがカメラ本体１ｂに装着されているものとして以降説明する。
【００３９】
図４に示すようにカメラ本体１ｂに装着されたカメラヘッド１ａには、撮影光学系１１ａと撮像素子（ここではＣＣＤ固体撮像素子が用いられているので以下ＣＣＤという）１２ａとが備えられている。その撮影光学系１１ａ内には撮影レンズや絞りなどが配備されている。その撮影光学系１１ａ内の撮影レンズで被写体をＣＣＤ１２ａに結像させて、ＣＣＤ１２ａで画像データの生成を行なっている。このＣＣＤ１２ａで生成した画像データをアナログ信号処理部１３ａに出力してそのアナログ信号処理部１３ａでノイズ低減の処理などを行なった後、後段のＡ／Ｄ部１４ａでアナログ信号の画像信号をデジタル信号の画像信号に変換している。さらに、デジタル信号に変換された画像信号が、高速シリアルドライバ１５０ａに供給される。
【００４０】
この高速シリアルドライバ１５０ａを通ってカメラ本体１ｂに供給される画像信号の中には、モードダイヤル１４ｂによって静止画撮影モードもしくは動画撮影モードが選択された状態にあるときに撮影光学系内の撮影レンズが捉えた被写体をＬＣＤパネル（図示せず）上に表示するためのスルー画用の画像信号（以下スルー画信号という）と、静止画撮影モードが選択された状態にあるときにレリーズ釦１３ｂの操作により得られる静止画像を表わす画像信号（以下静止画信号という）と、動画撮影モードが選択された状態にあるときにレリーズ釦１３ｂの操作により得られる動画を表わす画像信号（以下動画信号という）との３通りの画像信号がある。これらの画像信号のうちのいずれかがカメラ本体１ｂ側からの要求によって高速シリアルドライバ１５０ａを通ってカメラ本体１ｂ側に送信される。
【００４１】
一方、Ａ／Ｄ部１４ａでデジタル信号に変換された画像信号は、Ａ／Ｄ部１４ａの後段に設けられた積算回路１６ａにも供給される。この積算回路１６ａはＡＦ機能（以下ＡＦという）およびＡＥ機能（以下ＡＥという）を担うものであって、この積算回路１６ａによってＡＥ機能を働かせるための被写界輝度の測定やＡＦ機能を働かせるための被写体距離の測定が行なわれる。その積算回路１６ａで測定された被写体距離や被写界輝度がデータバス１９２ａを介して絞り／フォーカス／ズーム制御部１７ａに供給され、その絞り／フォーカス／ズーム制御部１７ａによって撮影光学系内の絞りの径が調節されたり、撮影光学系内のフォーカスレンズの位置が調節されたりする。このようにしておくとこのカメラヘッド１ａが備える撮影光学系内のレンズが異なる被写体に向けられる度にＡＦやＡＥが動作するため、即座にピントや輝度の調整が行なわれてピントの合った被写体を表わす画像データがＣＣＤ１２ａで生成されＣＣＤ１２ａから出力される。ＣＣＤ１２ａ、アナログ信号処理部１３ａ、Ａ／Ｄ部１４ａ、積算回路１６ａ、および絞り／フォーカス／ズーム制御部１７ａは、タイミングジェネレータ（以下ＴＧという）１８ａからのタイミング信号に同期して動作する。
【００４２】
システムメモリ１９０ａのうちのＲＯＭには、初期化用のプログラム等が格納されている。また、システムメモリ１９０ａのうちのＲＡＭは、プログラム実行時の作業領域を有する。
【００４３】
不揮発性メモリ１９１ａには、カメラヘッド１ａ特有の機能を実現させるためのプログラムが格納される。
【００４４】
ヘッドＣＰＵ１９ａは、システムメモリ１９０ａのＲＯＭに格納されている初期化用のプログラムの手順にしたがって、不揮発性メモリ１９１ａに格納されているプログラムをシステムメモリ１９０ａのうちのＲＡＭに転送し、転送されたプログラムにしたがってカメラヘッド１ａ全体の制御を行なう。
【００４５】
また、３線シリアルバスを駆動する３線シリアルドライバ１５１ａ，１５１ｂがカメラヘッド１ａおよびカメラ本体１ｂとの双方に配備されており、双方のドライバで駆動されるシリアルバスによってカメラ本体１ｂからカメラヘッド１ａへ、あるいはカメラヘッド１ａからカメラ本体１ｂへのコマンドのやり取りが行なわれる。例えばカメラ本体１ｂからスルー画信号や静止画像あるいは動画信号の送信の要求に対応するコマンドが３線シリアルドライバ１５１ａを経由して送信されてきた場合には、その３線シリアルドライバ１５１ａの３線シリアルバスよりも高速の高速シリアルバスを有する高速シリアルドライバ１５０ａによって上記画像信号がカメラ本体１ｂへ送信される。
【００４６】
さらに、カメラヘッド１ａには、そのカメラヘッド１ａ内部の温度を検出して温度を表わす信号を生成する温度検出手段２０１ａが備えられている。
【００４７】
また、カメラヘッド１ａには、後述するカメラ本体１ｂに備えられた温度判定手段２０１ｂで所定温度を越える温度であると判定された場合に、カメラヘッド１ａの内部を冷却する冷却手段２０２ａが備えられている。
【００４８】
さらに、カメラヘッド１ａに備えられたヘッドＣＰＵ１０ａは、本発明にいう動作禁止手段の役割を担うものでもあり、このヘッドＣＰＵ１０ａは、温度判定手段２０１ｂで所定温度を越える温度であると判定された場合にＣＣＤ１２ａの動作を禁止する。以上がカメラヘッド１ａの構成である。次に、カメラ本体１ｂの構成について説明する。
【００４９】
カメラ本体１ｂの動作はカメラヘッド１ａと同様に、カメラ本体１ｂの本体ＣＰＵ１００ｂにより統括的に制御される。また、システムメモリ１０１ｂのうちのＲＯＭには、初期化用のプログラム等が格納されている。また、システムメモリ１０１ｂのうちのＲＡＭは、プログラム実行時の作業領域を有する。
【００５０】
不揮発性メモリ１０２ｂには、カメラ本体１ｂ固有の調整データやカメラ本体１ｂ特有の機能を実現させるためのプログラムが格納される。
【００５１】
本体ＣＰＵ１００ｂは、システムメモリ１０１ｂのＲＯＭに格納されている初期化用のプログラムの手順にしたがって、不揮発性メモリ１０２ｂａに格納されているプログラムをシステムメモリ１０１ｂのうちのＲＡＭに転送し、転送されたプログラムにしたがってカメラ本体１ｂの制御を行なう。
【００５２】
本実施形態では、前述したようにカメラヘッド１ａからスルー画信号、静止画信号、動画信号の３種類の画像信号のうちのいずれかが送信されてくる。例えば、スルー画像の場合は、カメラ本体１ｂの信号処理部１０３ｂに供給されその信号処理部１０３ｂで表示用のスルー画信号に変換される。その表示用のスルー画信号がフレームメモリ１０４ｂに記憶され、ＬＣＤ制御部１０５ｂによりそのフレームメモリ１０４ｂに記憶されているスルー画信号が読み出されてＬＣＤ１０５０ｂのＬＣＤパネル上にスルー画信号に基づくスルー画が表示される。ＬＣＤ制御部１０５ｂにはＯＳＤ（Ｏｎ  Ｓｃｒｅｅｎ  Ｄｉｓｐｌａｙ）１０５１ｂ側からの情報も供給されており、このＬＣＤパネル上には、スルー画とともに選択メニューなども表示されるようになっている。
【００５３】
また、カメラ本体１ｂには、上記のような画像信号の処理を行なう部分のほか、ＯＳＤ１０５１ｂを経由してＬＣＤパネル上に時刻や日付情報を表示するためのデータを作成するタイマ１１０ｂやカレンダ時計１１１ｂが配備されている。
【００５４】
また、カメラ本体１ｂには、可搬型記憶媒体であるメモリカード１０８ｂがメモリカードスロット１０７ｂを介して着脱自在に装着され装着されたメモリカード１０８ｂをアクセスするカードＩ／Ｆ１０６ｂが配備されている。メモリカード１０８ｂには、静止画のデータや動画のデータ等が格納される。
【００５５】
さらに、カメラ本体１ｂには、レリーズ釦１３ｂ，モードダイヤル１４ｂ，十字キー２３，メニューキー２４，実行キー２５，取消キー２６からなる操作指示を与える操作指示部１３２ｂが配備されている。この操作指示部１３２ｂからの操作指示はＩ／Ｏ１３３ｂを介して本体ＣＰＵ１００ｂに供給され、この本体ＣＰＵ１００ｂではその操作指示に応じた処理が行なわれる。ただし、レリーズ釦１３ｂは本体ＣＰＵ１００ｂおよびヘッドＣＰＵ１９ａの双方の割り込み端子に直接接続されており、レリーズ釦１３ｂが押されたときには、双方のＣＰＵ１９ａ，１００ｂに割り込みがかけられて静止画処理プログラムもしくは動画プログラムが起動されるようになっている。
【００５６】
尚、カメラ本体１ｂに配備されているバッテリ１６０ｂからカメラ本体１ｂ側のＤＣ／ＤＣコンバータ１４１ｂを介してカメラ本体１ｂの本体各部へ電力が供給されるとともに、バッテリ１６０ｂからカメラヘッド１ａ側のＤＣ／ＤＣコンバータ１０１ａを介してヘッド各部へ電力が供給される。これらのＤＣ／ＤＣコンバータ１０１ａ，１４１ｂは共にカメラヘッド１ａとカメラ本体１ｂとがそれぞれ備える電源制御部１００ａ，１４０ｂにより制御され、電源の投入指示が電源スイッチ２１のスライド操作によりカメラ本体１ｂの電源制御部１４０ｂに与えられたら、その電源制御部１４０ｂからカメラ本体のＤＣ／ＤＣコンバータ１４１ｂに対して出力指示が供給されるとともに、Ｉ／Ｏ１６１ｂを介してカメラヘッド１ｂ側の電源制御部１００ａにも出力指示が供給されてＤＣ／ＤＣコンバータ１０１ａからヘッド各部へ電力が供給されるようになっている。
【００５７】
また、カメラ本体１ｂには、外部機器であるパーソナルコンピュータとの接続用のＵＳＢドライバ１３１ｂおよびＵＳＢコネクタ１３０ｂが備えられている。
【００５８】
さらに、カメラ本体１ｂには、カメラヘッド１ａに備えられた温度検出手段２０１ａからの信号を受け取って温度検出手段２０１ａで検出された温度が所定温度を越える温度であるか否かを判定する温度判定手段２０１ｂが備えられている。
【００５９】
図５は、図４に示すカメラシステムにおけるカメラヘッド内部の温度を低下させるための制御ルーチンのフローチャートである。
【００６０】
この制御ルーチンは、電源スイッチ２１による電源投入指示が行なわれた時点で起動する。先ず、ステップＳ１において、カメラヘッド１ａに備えられた温度検出手段２０１ａで、カメラヘッド１ａの内部の温度を検出する。次に、ステップＳ２において、カメラ本体１ｂに備えられた温度判定手段２０１ｂで所定の温度を超える温度であるか否かが判定される。所定の温度を超える温度でないと判定された場合はこのルーチンを終了する。一方、所定の温度を超える温度であると判定された場合はステップＳ３に進む。
【００６１】
ステップＳ３では、カメラヘッド１ａにおいて、ＡＦ動作を禁止するか、電源を落とすか、特定のモード（再生モード）に移行するか、ＣＣＤ１２ａに供給されているクロック数を落とすか、冷却装置２０２ａを駆動するかのいずれかを行なってこのルーチンを終了する。
【００６２】
図６は、図４に示すカメラシステムの、温度判定手段で所定温度を越える温度であると判定された場合にＣＣＤの動作を禁止するための処理ルーチンのフローチャートである。
【００６３】
この処理ルーチンも、電源スイッチ２１による電源投入指示が行なわれた時点で起動する。先ず、ステップＳ１１において、カメラ本体１ｂの本体ＣＰＵ１００ｂで撮影モードに設定する。次にステップＳ１２において、カメラヘッド１ａに備えられた温度検出手段２０１ａで、カメラヘッド１ａの内部の温度を検出する。さらに、ステップＳ１３において、カメラ本体１ｂに備えられた温度判定手段２０１ｂで所定の温度を超える温度であるか否かが判定される。所定の温度を超える温度でないと判定された場合はステップＳ１４に進む。ステップＳ１４では、撮影モードに設定されていない場合は、撮影モードに設定してこのルーチンを終了する。
【００６４】
一方、ステップＳ１３において、所定の温度を超える温度であると判定された場合はステップＳ１５に進む。ステップＳ１５では、本体ＣＰＵ１００ｂで再生モードに設定してステップＳ１６に進む。ステップＳ１６では、本体ＣＰＵ１００ｂとカメラヘッド１ａとの間で、ヘッドＣＰＵ１９ａがＣＣＤ１２ａの駆動を禁止する旨の通信を行なう。さらにステップＳ１７において、ヘッドＣＰＵ１９ａがＣＣＤ１２ａの駆動を禁止してステップＳ１２に戻る。
【００６５】
本実施形態のカメラシステム１＿１は、カメラヘッド１ａに備えられた温度検出手段２０１ａでカメラヘッド１ｂの内部の温度を検出して生成した温度を表わす信号を、カメラ本体１ｂに備えられた温度判定手段２０１ｂで受け取ってその温度が所定温度を越える温度であるか否かを判定するものであるため、カメラヘッド１ｂのコストアップを抑えたまま、カメラヘッド１ｂに備えられたＣＣＤ１２ａ周辺部の温度を検出することができる。従って、カメラヘッド１ａの内部が所定温度を越える温度であった場合、図５に示すステップＳ３で説明したように各種の対応策を施すことができ、カメラヘッド１ａに備えられたＣＣＤ１２ａのノイズの影響が小さく抑えられて良好な画像を得ることができる。
【００６６】
図７は、本発明の第２のカメラシステムの第１実施形態の、カメラヘッドがカメラ本体に装着された状態にあるときの電気系統の構成を示すブロック図である。
【００６７】
尚、図４に示すカメラシステム１＿１と同じ構成要素には同一の符号を付し、異なる点について説明する。
【００６８】
図７に示すカメラシステム１＿２を構成するカメラヘッド１ａは、図４に示すカメラシステム１＿１を構成するカメラヘッダ１ａと比較し、温度判定手段２０３ａが追加されている点が異なっている。一方、図７に示すカメラシステム１＿２を構成するカメラ本体１ｂは、図４に示すカメラシステム１＿１を構成するカメラ本体１ｂと比較し、図４に示す温度判定手段２０１ｂが削除されている点が異なっている。
【００６９】
図８は、図７に示すカメラシステムにおけるカメラヘッド内部の温度を低下させるための制御ルーチンのフローチャートである。
【００７０】
先ず、ステップＳ２１において、カメラヘッド１ａに備えられた温度検出手段２０１ａで、カメラヘッド１ａの内部の温度を検出する。次に、ステップＳ２２において、カメラヘッド１ａに備えられた温度判定手段２０３ａで所定の温度を超える温度であるか否かが判定される。所定の温度を超える温度でないと判定された場合はこのルーチンを終了する。一方、所定の温度を超える温度であると判定された場合はステップＳ２３に進む。
【００７１】
ステップＳ２３では、カメラヘッド１ａとカメラ本体１ｂとの間で、カメラヘッド１ａにおいてＡＦ動作を禁止するか、電源を落とすか、特定のモード（再生モード）に移行するか、ＣＣＤ１２ａに供給されているクロック数を落とすか、冷却装置２０２ａを駆動するかのいずれかの処理を実行する旨の通信を行なう。次に、ステップＳ２４において、上記通信に基づく処理（ここでは、ＡＦ動作を禁止する処理）を行なってこのルーチンを終了する。
【００７２】
図９は、図７に示すカメラシステムの、温度判定手段で所定温度を越える温度であると判定された場合にＣＣＤの動作を禁止するための処理ルーチンのフローチャートである。
【００７３】
この処理ルーチンでは、先ず、ステップＳ３１において、カメラ本体１ｂの本体ＣＰＵ１００ｂで撮影モードに設定する。次にステップＳ３２において、カメラヘッド１ａに備えられた温度検出手段２０１ａで、カメラヘッド１ａの内部の温度を検出する。さらに、ステップＳ３３において、カメラヘッド１ａに備えられた温度判定手段２０３ａで所定の温度を超える温度であるか否かが判定される。所定の温度を超える温度でないと判定された場合はステップＳ３４に進む。ステップＳ３４では、撮影モードに設定されていない場合は、撮影モードに設定してこのルーチンを終了する。
【００７４】
一方、ステップＳ３３において、所定の温度を超える温度であると判定された場合はステップＳ３５に進む。ステップＳ３５では、カメラ本体１ｂとカメラヘッド１ａとの間で、ヘッドＣＰＵ１９ａがＣＣＤ１２ａの駆動を禁止する旨の通信を行なう。次に、ステップＳ３６において、本体ＣＰＵ１００ｂで再生モードに設定する。さらに、ステップＳ３７において、ヘッドＣＰＵ１９ａがＣＣＤ１２ａの駆動を禁止してステップＳ３２に戻る。
【００７５】
本実施形態カメラシステム１＿２は、カメラヘッド１ａに備えられた温度検出手段２０１ａでカメラヘッド１ａの内部の温度を検出して生成した温度を表わす信号を、やはりカメラヘッド１ａに備えられた温度判定手段２０３ａで受け取ってその温度が所定温度を越える温度であるか否かを判定するものであるため、カメラヘッド１ａ側とカメラ本体１ｂ側との間で、カメラヘッド１ａの内部温度が所定温度を越える温度であるか否かを判定するための通信を行なう必要はなく、またカメラ本体１ｂ側がコストアップすることもなく、カメラヘッド１ａに備えられたＣＣＤ１２ａ周辺部の温度を検出することができる。従って、カメラヘッド１ａの内部が所定温度を越える温度であった場合、図８に示すステップＳ２４で説明したように各種の対応策を施すことができ、カメラヘッド１ａに備えられたＣＣＤ１２ａのノイズの影響が小さく抑えられて良好な画像を得ることができる。
【００７６】
図１０は、本発明の第２のカメラシステムの第２実施形態の、カメラヘッドがカメラ本体に装着された状態にあるときの電気系統の構成を示すブロック図である。
【００７７】
尚、図７に示すカメラシステム１＿２と同じ構成要素には同一の符号を付し、異なる点について説明する。
【００７８】
図１０に示すカメラシステム１＿３は、カメラヘッド１ａが、ＣＣＤ１２ａで得られた画像信号に、カラー静止画像を圧縮するＪＰＥＧ（Ｊｏｉｎｔ  Ｐｈｏｔｏｇｒａｐｈｉｃ  Ｅｘｐｅｒｔｓ  Ｇｒｏｕｐ）アルゴリズムを採用した信号処理を施すＪＰＥＧ圧縮部２０４ａ（本発明にいう所定の信号処理を施す第１の信号処理手段に相当）を備えて、ＪＰＥＧ圧縮部２０４ａで信号処理を施した後の画像信号をカメラ本体１ｂに送信するものである。
【００７９】
また、このカメラシステム１＿３は、カメラ本体１ｂが、ＪＰＥＧ圧縮部２０４ａで信号処理が行なわれた後の画像信号を受け取って更なる信号処理を施すＪＰＥＧ圧縮・伸張部１０９ｂ（本発明にいう第２の信号処理手段に相当）を備えたものである。
【００８０】
さらに、このカメラシステム１＿３は、温度判定手段２０３ａで所定温度を越える温度であると判定された場合に、ＪＰＥＧ圧縮部２０４ａが、そのＪＰＥＧ圧縮部２０４ａで行なわれる信号処理の少なくとも一部を省略するものであり、上記ＪＰＥＧ圧縮・伸張部１０９ｂが、ＪＰＥＧ圧縮部２０４ａで省略された信号処理を含む信号処理を実行するものである。
【００８１】
このように、本実施形態のカメラシステム１＿３では、カメラヘッド１ａの内部が所定温度を越える温度であると判定された場合に、カメラヘッド１ａに備えられたＪＰＥＧ圧縮部２０４ａで行なわれる信号処理の少なくとも一部を省略し、カメラ本体１ｂに備えられたＪＰＥＧ圧縮・伸張部１０９ｂで、その省略された信号処理を含む信号処理を実行するため、カメラヘッド１ａの消費電力が低減されて、そのカメラヘッド１ａの内部の温度を低下させることができる。
【００８２】
また、このカメラシステム１＿３は、カメラ本体１ｂにＣＰＵ切替手段２０２ｂを備え、温度判定手段２０３ａで所定温度を越える温度であると判定された場合に、ＣＰＵ切替手段２０２ｂでヘッドＣＰＵ１９ａから本体ＣＰＵ１００ｂに切り替えて、本体ＣＰＵ１００ｂでＣＣＤ１２ａを制御することもできる。このように制御して、カメラヘッド１ａの消費電力を低減してカメラヘッド１ａ内部の温度を下げてもよい。
【００８３】
尚、本実施形態では、撮影光学系と撮像素子を備えて画像信号を生成する、撮像素子等の仕様が異なる複数種類のカメラヘッド１ａ〜ｎａと、それらのカメラヘッド１ａ〜ｎａのうちのいずれかが交換自在に装着され装着されたカメラヘッドから画像信号を受け取って信号処理を行なう複数種類のカメラ本体１ｂ〜ｎｂとを備えたカメラシステムの例で説明したが、これに限られるものではなく、本発明は、撮影光学系と撮像素子を備えてなるカメラヘッドと、そのカメラヘッドが交換自在に装着されそのカメラヘッドからの信号を受け取って信号処理を行なうカメラ本体とを備えたカメラシステムであればよい。
【図面の簡単な説明】
【００８４】
【図１】本発明の第１，第２のカメラシステムの双方に共通の一実施形態を示す図である。
【図２】図１に示すカメラシステムの外観を示す図である。
【図３】図２のカメラシステムを背面斜め上から見た外観斜視図である。
【図４】本発明の第１のカメラシステムの一実施形態の、カメラヘッドがカメラ本体に装着された状態にあるときの電気系統の構成を示すブロック図である。
【図５】図４に示すカメラシステムにおけるカメラヘッド内部の温度を低下させるための制御ルーチンのフローチャートである。
【図６】図４に示すカメラシステムの、温度判定手段で所定温度を越える温度であると判定された場合にＣＣＤの動作を禁止するための処理ルーチンのフローチャートである。
【図７】本発明の第２のカメラシステムの第１実施形態の、カメラヘッドがカメラ本体に装着された状態にあるときの電気系統の構成を示すブロック図である。
【図８】図７に示すカメラシステムにおけるカメラヘッド内部の温度を低下させるための制御ルーチンのフローチャートである。
【図９】図７に示すカメラシステムの、温度判定手段で所定温度を越える温度であると判定された場合にＣＣＤの動作を禁止するための処理ルーチンのフローチャートである。
【図１０】本発明の第２のカメラシステムの第２実施形態の、カメラヘッドがカメラ本体に装着された状態にあるときの電気系統の構成を示すブロック図である。
【符号の説明】
【００８５】
１，１＿１，１＿２，１＿３  カメラシステム
１ａ  カメラヘッド
１ｂ  カメラ本体
１０ｂ  ヘッドマウント
１１ａ  撮影光学系
１１ｂ  ＡＷＢセンサ
１２ａ  ＣＣＤ
１２ｂ  閃光発光窓
１３ａ  アナログ信号処理部
１３ｂ  レリーズ釦
１４ａ  Ａ／Ｄ部
１４ｂ  モードダイヤル
１６ａ    積算回路
１７ａ  絞り／フォーカス／ズーム制御部
１８ａ  ＴＧ
１９ａ  ヘッドＣＰＵ
２１  電源スイッチ
２２  ＬＣＤパネル
２３  十字キー
２３ａ  ＵＰキー
２３ｂ  ＤＯＷＮキー
２３ｃ  右キー
２３ｄ  左キー２３
２４  メニューキー
２５  実行キー
２６  取消キー
１００ａ，１４０ｂ  電源制御部
１００ｂ  本体ＣＰＵ
１０１ａ，１４１ｂ  ＤＣ／ＤＣコンバータ
１０１ｂ，１９０ａ  システムメモリ
１０２ｂ，１９１ａ  不揮発性メモリ
１０３ｂ  デジタル信号処理部
１０４ｂ  フレームメモリ
１０５ｂ  ＬＣＤ制御部
１０６ｂ  カードＩ／Ｆ
１０７ｂ  メモリカードスロット
１０８ｂ  メモリカード
１０９ｂ  ＪＰＥＧ圧縮・伸張部
１１０ｂ  タイマ
１１１ｂ  カレンダ時計
１２０ｂ  閃光制御部
１２１ｂ  閃光部
１３０ｂ  ＵＳＢコネクタ
１５０ａ，１５０ｂ  高速シリアルドライバ
１５１ａ，１５１ｂ  ３線シリアルドライバ
１６１ｂ  ＩＯ
１６０ｂ  バッテリ
１９２ａ  データバス
２０１ａ  温度検出手段
２０１ｂ，２０３ａ  温度判定手段
２０２ａ  冷却装置
２０２ｂ  ＣＰＵ切替手段
２０４ａ  ＪＰＥＧ圧縮部
１０５１ｂ  ＯＳＤ
【図１】
2006140733.tif 000003
【図２】
2006140733.tif 000004
【図３】
2006140733.tif 000005
【図４】
2006140733.tif 000006
【図５】
2006140733.tif 000007
【図６】
2006140733.tif 000008
【図７】
2006140733.tif 000009
【図８】
2006140733.tif 000010
【図９】
2006140733.tif 000011
【図１０】
2006140733.tif 000012